(57)【要約】【課題】人手を要することなく安全に取り付けすることができるディスプレイ用スタンドを提案する。【解決手段】ディスプレイを固定保持するスタンドを、床面における任意の向きへの移動を可能としたキャスターベースと、このキャスターベースの上面にて起立する縦長のフレームと、この縦長のフレームに沿い移動可能に支持されその前面にて薄型ディスプレイを固定保持するスライダーと、このスライダーをフレームに沿って昇降させて前記薄型ディスプレイの上下レベルを変更する昇降機構とにて構成する。【選択図】図１
2007102209.tif 000002
【特許請求の範囲】
【請求項１】
ディスプレイを固定保持するスタンドであって、
床面における任意の向きへの移動を可能としたキャスターベースと、このキャスターベースの上面にて起立する縦長のフレームと、この縦長のフレームに沿い移動可能に支持されその前面にてディスプレイを固定保持するスライダーと、このスライダーをフレームに沿って昇降させて前記ディスプレイの上下レベルを変更する昇降機構からなる、ことを特徴とするディスプレイ用スタンド。
【請求項２】
前記昇降機構が、手動若しくは電動式のウインチである、請求項１記載のディスプレイ用スタンド。
【請求項３】
前記スライダーは、その前面に、ディスプレイの背面部材に連係して該ディスプレイを着脱自在に吊り下げ保持するホルダーを備え、
該ホルダーは、ディスプレイの背面部材の連係に帯同した移動によりその連係スペースを小さくしてディスプレイの脱落を防止する少なくとも一対のスライドフックを有する、請求以降1又は2記載のディスプレイ用スタンド。
【請求項４】
スライドフックは、スライダーに固定保持され該スライダーの前面に向けて傾斜した壁面を有するベースと、ディスプレイの背面部材を受け入れる連係スペースを確保し該ベースの壁面に沿いスライド可能に弾性支持される係止部材からなる、請求項3に記載したディスプレイ用スタンド。
【発明の詳細な説明】
【技術分野】
【０００１】
本発明は、大表面積を有する薄型ディスプレイの固定保持に有用なスタンドに関するものである。
【背景技術】
【０００２】
プラズマディスプレイは、テレビに使用されているブラウン管に変わる次世代の表示デバイスであって、大画面であるにもかかわらず、その厚さ（奥行き）が非常に薄く、壁に取り付けることができる等、居住空間の有効利用を図ることが可能であることから、近年、急速に普及しつつある。
【０００３】
かかる機器は、壁掛けタイプや据え置きを可能とするスタンドタイプ、あるいは教室やホールに最適な天吊りタイプ等様々なものが提案されている（例えば特許文献１参照）が、何れのものも、ディスプレイをスタンドや壁あるいは天井に取り付けに際しては、大掛りな作業となり（60インチクラスでは４〜６人の人手が必要で時間もかかる）、しかもその作業は危険を伴うものになっていた。
【特許文献１】特開2002−295792号公報
【発明の開示】
【発明が解決しようとする課題】
【０００４】
本発明の課題は、取り付け作業の簡素化を図るとともに、ディスプレイの上下レベルを容易に変更し得るスタンドを提案するところにある。
【課題を解決するための手段】
【０００５】
本発明は、ディスプレイを固定保持するスタンドであって、床面における任意の向きへの移動を可能としたキャスターベースと、このキャスターベースの上面にて起立する縦長のフレームと、この縦長のフレームに沿い移動可能に支持されその前面にて薄型ディスプレイを固定保持するスライダーと、このスライダーをフレームに沿って昇降させて前記ディスプレイの上下レベルを変更する昇降機構からなる、ことを特徴とするディスプレイ用スタンドである。
【０００６】
上記の構成になるスタンドにおいて、前記昇降機構は、手動式ウインチ（ハンドウインチ）若しくは電動式ウインチを適用するのが好ましい。
【０００７】
また、前記スライダーは、その前面に、ディスプレイの背面部材に連係して該ディスプレイを着脱自在に吊り下げ保持するホルダーを備え、
該ホルダーは、ディスプレイの背面部材の連係に帯同した移動によりその連係スペースを小さくしてディスプレイの脱落を防止する少なくとも一対のスライドフックを有するものがとくに好ましい。
【０００８】
スライドフックは、スライダーに固定保持され該スライダーの前面に向けて傾斜した壁面を有するベースと、ディスプレイの背面部材を受け入れる連係スペースを確保し該ベースの壁面に沿いスライド可能に弾性支持される係止部材にて構成することができる。
【発明の効果】
【０００９】
ディスプレイ本体をキャスターベースの上に置き、該ディスプレイ本体をその背面でスライダーに連結する一方、該スライダーを昇降させることで任意の高さに変更することができ、取り付け作業にかかる工数（人手や時間）を軽減できるだけでなく、危険性も少なくなる。
【００１０】
ディスプレイ本体を専用ケースから取り出すに際しては、昇降機能のワイヤロープの先端部をディスプレイ本体に連結してウインチにより引き上げることでディスプレイ本体を専用ケースから簡単に取り出すことができる。
【００１１】
スライダーとディスプレイとの間に、ディスプレイを着脱自在に吊り下げ保持するホルダーを介在させると、サイズの異なるホルダーを付け替えるだけで様々なサイズのディスプレイの設置が可能となる。
【発明を実施するための最良の形態】
【００１２】
以下、図面を用いて本発明をより具体的に説明する。
図1〜4は本発明に従う薄型ディスプレイ用スタンドの実施の形態を示したものであり、図1は前方から見た外観斜視図、図2は後方から見た外観斜視図であり、図3は薄型ディスプレイを取り付けた状態の正面図、図4は図3の側面図である。
【００１３】
図1〜4において、1は床面での任意の向きへの移動を可能としたキャスターベース、2はキャスターベース1の上面にて起立する縦長のフレームである。このフレーム2はキャスターベース1にボルト等の手段を介して一体的に連結しており、中央部に縦に伸びる長孔hを有するフレーム本体2aと、このフレーム本体2aの両側でそれぞれそれに沿い隙間を隔てて配置されたロッド2b、2cからなる。
【００１４】
また、3はスライダーである。このスライダー3はその前面でディスプレイ本体Dをボルトや引っ掛け金具、フック等の締結手段でもって連結、固定保持するもので、該スライダー3そのものがディスプレイ本体Dとともにロッド2b、2cをガイドにして上下に移動できるようになっている。
【００１５】
さらに、4はスライダー3をフレーム2に沿って昇降させる昇降機構である。昇降機構4はここではハンドウインチとして図示してあり、ドラムを回転可能に収納するウインチ本体4aと、このウインチ本体4aのドラムを駆動させるハンドル4bと、フレーム本体2aの上端に配置されたプーリー4cと、プーリー4cを介してスライダー3及びウインチ本体4aを相互につなぐワイヤロープ4dからなる。
【００１６】
上記の構成になるスタンドは、ディスプレイ本体Dをキャスターベース1に載せて昇降機構4につなぎ、フレーム2に沿って引き上げるだけで該ディスプレイ本体Dの取り付けを行うことが可能で、人手が少なくてすむだけでなく取り付け作業における危険性も軽減されたものとなる。
【００１７】
スライダー3をフレーム2の任意の位置で固定するためロック機構を設けておく必要がある。ロック機構は、昇降機構において回転ドラムを固定してもよいし、スライダー3とフレーム2とをボルト等の締結手段（係止金具等）にて相互に連結してもよく、この点についてはとくに限定はされない。
【００１８】
図5は本発明に従うディスプレイ用スタンドにホルダー5を配置した例を示したものである。
【００１９】
ホルダー5はスライダー3の前面でボルトの如き締結手段にて固定保持することができるもので、このホルダー5には、ディスプレイ本体Dに設けられた図6に示すような背面部材6に連係して該ディスプレイ本体Dを吊り下げ保持するフック7、8とスライドフック9、10がそれぞれ設けられている。
【００２０】
スライドフック9、10は図7（a）（b）にその要部断面を示すように、スライダー3に固定保持され、該スライダー3の前面に向けて傾斜した壁面Pを有するベース9a、10aと、ディスプレイ本体Dの背面部材6を受け入れる連係スペースSを確保し、該ベース9a、10aの壁面Pに沿って移動可能に弾性支持される係止部材9b、10bからなる。
【００２１】
ディスプレイ本体Dを吊り下げ保持する前の段階ではスライドフック9、10の係止部材9b、10bは図7（a）に示すようにベース9a、10aの上端に位置している。
【００２２】
この状態でディスプレイ本体Dの背面部材6を連係スペースSより入れ込みスライダー3を上昇させると係止部材9b、10bにはディスプレイ本体Dの重みが付加されていき、該係止部材9b、10bがその基部9b′、10b′とともにベース9a、10aの傾斜した壁面Pに沿って下降する。
【００２３】
係止部材9b、10bが図7（b）に示すように最下端まで下降すると連係スペースSが連係スペースS′へと短縮され、このときディスプレイ本体Dの上には、係止部材9b、10bの爪部9b１、10b１が位置することとなり、これによりディスプレイ本体Dの脱落が防止される。
【００２４】
上記の係止部材9b、10bは、ディスプレイ本体Dを取り外すべくそれそのものの重みを取り除くことにより初期位置へと復帰し（図7（a）参照）、これにより連係スペースS′が元のスペースである連係スペースSへと拡大されてディスプレイ本体Dのスタンドからの取り外しが可能となる。
【００２５】
スライドフック9、10は、上記の例ではホルダー5の上部に2つ設けた場合について図示したが、これは一つ設けてもよいし、上下、左右の4箇所にそれぞれ設けてもよく、この点については限定されない。とくに、上下、左右の4箇所にスライドフック9、10を設けた場合には、ディスプレイ本体Dの固定保持がより確実になるだけでなく、ディスプレイ本体Dの取り付け、取り外しが容易となる。
【００２６】
べース9a、10aの壁面Pには図8に示すように細長い凸部m１を設け、係止部材9b、10bの基部9b′、10b′には該凸部m１に適合する溝部m２を設けてそれらをガイドとして係止部材9b、10bを移動させることができ、これにより係止部材9b、10bの確実な誘導が可能となる。
【００２７】
凸部m１、溝部m２の断面形状は矩形状や台形状等適宜変更し得るものであり、また、その長さについてもとくに限定はされない。また、係止部材9a、10aはスプリングを用いて弾性支持する場合について示したが、他の弾性支持手段を用いてもよいのはいうまでもない。
【産業上の利用可能性】
【００２８】
安全で、簡素化された作業のもとでディスプレイ本体を取り付けることを可能としたスタンドが提供できる。
【図面の簡単な説明】
【００２９】
【図１】本発明に従うスタンドの外観斜視図である。
【図２】本発明に従うスタンドの外観斜視図である。
【図３】図1、図2に示したスタンドの正面図である。
【図４】図1、図2に示したスタンドの側面図である。
【図５】ホルダーの外観を示した図である。
【図６】ディスプレイ本体の背面部材を示した図である。
【図７】（a）（b）はスライドフックの要部を断面で示した図である。
【図８】スライドフックの分解状態を示した図である。
【符号の説明】
【００３０】
1  キャスターベース
2  フレーム
2a  フレーム本体
2b  ロッド
2c  ロッド
3  スライダー
4  昇降機構
4a  ウインチ本体
4b  ハンドル
4c  プーリー
4d  ワイヤロープ
5  ホルダー
6  背面部材
7  フック
8  フック
9  スライドフック
10  スライドフック
D  ディスプレイ本体
P  壁面
S  連係スペース
S′連係スペース
【図１】
2007102209.tif 000003
【図２】
2007102209.tif 000004
【図３】
2007102209.tif 000005
【図４】
2007102209.tif 000006
【図５】
2007102209.tif 000007
【図６】
2007102209.tif 000008
【図７】
2007102209.tif 000009
【図８】
2007102209.tif 000010